(57)【要約】      （修正有）【課題】利用者端末が異常事態の影響でネットワークに接続できない状態において、利用者が異常事態に関する情報を利用者端末に対して提供することができる情報提供サーバ、アクセスポイント、情報提供システム、情報提供方法、情報共有方法、情報提供プログラム及び情報共有プログラムを提供する。【解決手段】情報提供システム１の災害情報サーバ２は、異常事態の発生した地域である第１地域の周辺の第２地域に設置されたアクセスポイントである周辺アクセスポイントを特定するアクセスポイント特定部２８と、第１地域及び第２地域において利用者が異常事態に関し共有すべき情報である共有情報を取得する共有情報取得部２６と、共有情報取得部２６で取得した共有情報に基づいてアクセスポイントが利用者端末へ提供する提供情報を生成する提供情報生成部２３を備える。【選択図】図２
2017049893.tif 000002
【特許請求の範囲】
【請求項１】
複数の利用者端末に無線通信サービスを提供するアクセスポイントとネットワークを介して通信を行う第１通信部と、
前記アクセスポイントが設置されている位置に関する情報である位置情報を取得する取得部と、
前記第１通信部を介して通信ができなくなった前記アクセスポイントの前記位置情報に基づいて、異常事態の発生した地域である第１地域を特定する地域特定部と、
前記地域特定部が特定した前記第１地域の周辺の第２地域に設置されたアクセスポイントである周辺アクセスポイントを前記位置情報に基づいて特定するアクセスポイント特定部と、
前記第１地域及び前記第２地域において利用者が前記異常事態に関し共有すべき情報である共有情報を取得する共有情報取得部と、
前記共有情報取得部で取得した前記共有情報に基づいて前記アクセスポイントが前記利用者端末へ提供する提供情報を生成する提供情報生成部と、
前記第１通信部を介して前記アクセスポイント特定部が特定した前記周辺アクセスポイントへ前記提供情報生成部が生成した前記提供情報を送信する第１送信部と、
を備える情報提供サーバ。
【請求項２】
前記アクセスポイント特定部が特定した前記周辺アクセスポイントへ、利用者の認証なしで前記利用者端末からのアクセスを受け付ける動作モードへの変更を指示する動作モード指示部を更に備える請求項１に記載の情報提供サーバ。
【請求項３】
前記第１通信部は、前記動作モード指示部の指示に応じて動作モードを変更した前記周辺アクセスポイントから前記提供情報の要求を受信し、
前記第１送信部は、前記第１通信部が受信した前記提供情報の要求に応じて前記周辺アクセスポイントへ前記提供情報を送信する請求項２に記載の情報提供サーバ。
【請求項４】
複数の利用者端末と利用者の認証を行う通信方式で無線通信を行う第１動作モード又は前記利用者端末と利用者の認証なしの通信方式で無線通信を行う第２動作モードにより動作する第２通信部と、
ネットワークを介して利用者が異常事態に関し共有すべき情報を含む前記利用者端末へ提供される提供情報を生成する機能及び前記第１動作モードから前記第２動作モードへの変更を指示する機能を有するサーバと通信を行う第３通信部と、
前記第３通信部が前記サーバから前記第１動作モードから前記第２動作モードへの変更の指示を受信した場合に、前記第２通信部の動作モードを前記第１動作モードから前記第２動作モードへ変更する動作モード制御部と、
前記動作モード制御部による前記第２動作モードへの変更に応じて、前記サーバから前記提供情報を取得する提供情報取得部と、
前記第２動作モードで動作する前記第２通信部を介して前記提供情報取得部が取得した前記提供情報を前記利用者端末へ送信する第２送信部と、
を備えるアクセスポイント。
【請求項５】
複数の利用者端末に無線通信サービスを提供するアクセスポイントと、前記アクセスポイントとネットワークを介して通信を行う情報提供サーバとを備える情報提供システムであって、
前記情報提供サーバは、
前記アクセスポイントと前記ネットワークを介して通信を行う第１通信部と、
前記アクセスポイントが設置されている位置に関する情報である位置情報を取得する取得部と、
通信ができなくなった前記アクセスポイントの前記位置情報に基づいて、異常事態の発生した地域である第１地域を特定する地域特定部と、
前記地域特定部が特定した前記第１地域の周辺の第２地域に設置されたアクセスポイントである周辺アクセスポイントを前記位置情報に基づいて特定するアクセスポイント特定部と、
前記第１地域及び前記第２地域において利用者が前記異常事態に関し共有すべき情報である共有情報を取得する共有情報取得部と、
前記共有情報取得部で取得した前記共有情報に基づいて前記アクセスポイントが前記利用者端末へ提供する提供情報を生成する提供情報生成部と、
前記第１通信部を介して前記アクセスポイント特定部が特定した前記周辺アクセスポイントへ前記提供情報生成部が生成した前記提供情報を送信する第１送信部と、
を備え、
前記アクセスポイントは、
前記利用者端末と無線通信を行う第２通信部と、
前記ネットワークを介して前記情報提供サーバと通信を行う第３通信部と、
前記第３通信部を介して前記情報提供サーバから前記提供情報を受信する受信部と、
前記第２通信部を介して前記受信部が受信した前記提供情報を前記利用者端末へ送信する第２送信部と、
を備える情報提供システム。
【請求項６】
複数の利用者端末に無線通信サービスを提供するアクセスポイントとネットワークを介して通信を行う情報提供サーバを用いた情報提供方法であって、
前記アクセスポイントが設置されている位置に関する情報である位置情報を取得する取得ステップと、
通信ができなくなった前記アクセスポイントの前記位置情報に基づいて、異常事態の発生した地域である第１地域を特定する地域特定ステップと、
前記地域特定ステップにおいて特定した前記第１地域の周辺の第２地域に設置されたアクセスポイントである周辺アクセスポイントを前記位置情報に基づいて特定するアクセスポイント特定ステップと、
前記第１地域及び前記第２地域において利用者が前記異常事態に関し共有すべき情報である共有情報を取得する共有情報取得ステップと、
前記共有情報取得ステップにおいて取得した前記共有情報に基づいて前記アクセスポイントが前記利用者端末へ提供する提供情報を生成する提供情報生成ステップと、
前記アクセスポイント特定ステップにおいて特定した前記周辺アクセスポイントへ前記提供情報生成ステップにおいて生成した前記提供情報を送信する送信ステップと、
を有する情報提供方法。
【請求項７】
前記アクセスポイント特定ステップにおいて特定した前記周辺アクセスポイントへ、利用者の認証なしで前記利用者端末からのアクセスを受け付ける動作モードへの変更を指示する動作モード指示ステップを更に有する請求項６に記載の情報提供方法。
【請求項８】
前記動作モード指示ステップの指示に応じて動作モードを変更した前記周辺アクセスポイントから前記提供情報の要求を受信する受信ステップと、
前記受信ステップにおいて受信した前記提供情報の要求に応じて前記周辺アクセスポイントへ前記提供情報を送信する送信ステップと、
を更に有する請求項７に記載の情報提供方法。
【請求項９】
ネットワークを介して利用者が異常事態に関し共有すべき情報を含む利用者端末へ提供される提供情報を生成するサーバと通信可能であり、前記利用者端末と利用者の認証を行う通信方式で無線通信を行う第１動作モード又は前記利用者端末と利用者の認証なしの通信方式で無線通信を行う第２動作モードにより動作するアクセスポイントを用いた情報共有方法であって、
前記サーバから前記第１動作モードから前記第２動作モードへの変更の指示を受信した場合に、前記第１動作モードから前記第２動作モードへ変更する動作モード制御ステップと、
前記動作モード制御ステップによる前記第２動作モードへの変更に応じて、前記サーバから前記提供情報を取得する提供情報取得ステップと、
前記提供情報取得ステップにおいて取得した前記提供情報を前記利用者端末へ送信する送信ステップと、
を有する情報共有方法。
【請求項１０】
複数の利用者端末に無線通信サービスを提供するアクセスポイントとネットワークを介して通信を行う情報提供サーバで実行される情報提供プログラムであって、
前記アクセスポイントが設置されている位置に関する情報である位置情報を取得する取得ステップと、
通信ができなくなった前記アクセスポイントの前記位置情報に基づいて、異常事態の発生した地域である第１地域を特定する地域特定ステップと、
前記地域特定ステップにおいて特定した前記第１地域の周辺の第２地域に設置されたアクセスポイントである周辺アクセスポイントを前記位置情報に基づいて特定するアクセスポイント特定ステップと、
前記第１地域及び前記第２地域において利用者が前記異常事態に関し共有すべき情報である共有情報を取得する共有情報取得ステップと、
前記共有情報取得ステップにおいて取得した前記共有情報に基づいて前記アクセスポイントが前記利用者端末へ提供する提供情報を生成する提供情報生成ステップと、
前記アクセスポイント特定ステップにおいて特定した前記周辺アクセスポイントへ前記提供情報生成ステップにおいて生成した前記提供情報を送信する送信ステップと、
をコンピュータに実行させるための情報提供プログラム。
【請求項１１】
前記アクセスポイント特定ステップにおいて特定した前記周辺アクセスポイントへ、利用者の認証なしで前記利用者端末からのアクセスを受け付ける動作モードへの変更を指示する動作モード指示ステップを更に有する請求項１０に記載の情報提供プログラム。
【請求項１２】
前記動作モード指示ステップの指示に応じて動作モードを変更した前記周辺アクセスポイントから前記提供情報の要求を受信する受信ステップと、
前記受信ステップにおいて受信した前記提供情報の要求に応じて前記周辺アクセスポイントへ前記提供情報を送信する送信ステップと、
を更に有する請求項１１に記載の情報提供プログラム。
【請求項１３】
ネットワークを介して利用者が異常事態に関し共有すべき情報を含む利用者端末へ提供される提供情報を生成するサーバと通信可能であり、前記利用者端末と利用者の認証を行う通信方式で無線通信を行う第１動作モード又は前記利用者端末と利用者の認証なしの通信方式で無線通信を行う第２動作モードにより動作するアクセスポイントで実行される情報共有プログラムであって、
前記サーバから前記第１動作モードから前記第２動作モードへの変更の指示を受信した場合に、前記第１動作モードから前記第２動作モードへ変更する動作モード制御ステップと、
前記動作モード制御ステップによる前記第２動作モードへの変更に応じて、前記サーバから前記提供情報を取得する提供情報取得ステップと、
前記提供情報取得ステップにおいて取得した前記提供情報を前記利用者端末へ送信する送信ステップと、
をコンピュータに実行させるための情報共有プログラム。
【請求項１４】
利用者端末と利用者の認証を行う通信方式で無線通信を行う第１動作モード又は前記利用者端末と利用者の認証なしの通信方式で無線通信を行う第２動作モードで動作し、利用者が異常事態に関し共有すべき情報を含む共有情報を保持するアクセスポイントと無線通信を行う通信部と、表示部とを備える利用者端末で実行される情報共有プログラムであって、
前記通信部を制御して前記第２動作モードの前記アクセスポイントと無線通信するための接続を行う接続ステップと、
前記接続ステップにより接続した前記アクセスポイントから前記共有情報を取得する共有情報取得ステップと、
前記共有情報取得ステップにおいて取得した前記共有情報を前記表示部に表示する表示ステップと、
をコンピュータに実行させるための情報共有プログラム。
【発明の詳細な説明】
【技術分野】
【０００１】
本発明は、情報提供サーバ、アクセスポイント、情報提供システム、情報提供方法、情報共有方法、情報提供プログラム及び情報共有プログラムに関する。
【背景技術】
【０００２】
Ｗｉ−Ｆｉ（登録商標）サービス等の無線ＬＡＮサービスは、無線通信の機能を有する携帯電話等の利用者端末に対して、その無線通信を利用してインターネットに接続するためのサービスである。アクセスポイントは、無線ＬＡＮサービスを提供するための装置であり、店舗、公共施設、自宅等に設置されている。アクセスポイントは、プロキシサーバ等の上位サーバを介してインターネットに接続するサービスを利用者端末に提供している。
【０００３】
また、災害等の異常事態が発生した場合に、利用者の現在地付近に関する情報等の異常事態に対応するための情報をインターネット経由で利用者端末において取得できるサービスがある。しかし、これらのサービスは、利用者端末がインターネットに接続できる状態であることが前提である。そして、災害等の異常事態によって物理的にネットワークが切断された等の原因により、利用者端末が、インターネットに接続できなくなる状態となることも考えられる。このような異常事態の影響で利用者端末がネットワークに接続できない状態では、利用者端末は、利用者が異常事態に関する情報を取得することができない。
【先行技術文献】
【特許文献】
【０００４】
【特許文献１】特開２０１４−１９２８９１号公報
【特許文献２】特開２００３−２５８７０２号公報
【発明の概要】
【発明が解決しようとする課題】
【０００５】
上記事情に鑑み、本発明は、異常事態の影響で利用者端末がネットワークに接続できない状態において、利用者が異常事態に関する情報を利用者端末に対して提供することができる情報提供サーバ、アクセスポイント、情報提供システム、情報提供方法、情報共有方法、情報提供プログラム及び情報共有プログラムを提供することを目的としている。
【課題を解決するための手段】
【０００６】
本発明の一態様は、複数の利用者端末に無線通信サービスを提供するアクセスポイントとネットワークを介して通信を行う第１通信部と、前記アクセスポイントが設置されている位置に関する情報である位置情報を取得する取得部と、前記第１通信部を介して通信ができなくなった前記アクセスポイントの前記位置情報に基づいて、異常事態の発生した地域である第１地域を特定する地域特定部と、前記地域特定部が特定した前記第１地域の周辺の第２地域に設置されたアクセスポイントである周辺アクセスポイントを前記位置情報に基づいて特定するアクセスポイント特定部と、前記第１地域及び前記第２地域において利用者が前記異常事態に関し共有すべき情報である共有情報を取得する共有情報取得部と、前記共有情報取得部で取得した前記共有情報に基づいて前記アクセスポイントが前記利用者端末へ提供する提供情報を生成する提供情報生成部と、前記第１通信部を介して前記アクセスポイント特定部が特定した前記周辺アクセスポイントへ前記提供情報生成部が生成した前記提供情報を送信する第１送信部と、を備える情報提供サーバである。
【０００７】
本発明の一態様は、上記の情報提供サーバであって、前記前記アクセスポイント特定部が特定した前記周辺アクセスポイントへ、利用者の認証なしで前記利用者端末からのアクセスを受け付ける動作モードへの変更を指示する動作モード指示部を更に備える。
【０００８】
本発明の一態様は、上記の情報提供サーバであって、前記第１通信部は、前記動作モード指示部の指示に応じて動作モードを変更した前記周辺アクセスポイントから前記提供情報の要求を受信し、前記第１送信部は、前記第１通信部が受信した前記提供情報の要求に応じて前記周辺アクセスポイントへ前記提供情報を送信する。
【０００９】
本発明の一態様は、複数の利用者端末と利用者の認証を行う通信方式で無線通信を行う第１動作モード又は前記利用者端末と利用者の認証なしの通信方式で無線通信を行う第２動作モードにより動作する第２通信部と、ネットワークを介して利用者が異常事態に関し共有すべき情報を含む前記利用者端末へ提供される提供情報を生成する機能及び前記第１動作モードから前記第２動作モードへの変更を指示する機能を有するサーバと通信を行う第３通信部と、前記第３通信部が前記サーバから前記第１動作モードから前記第２動作モードへの変更の指示を受信した場合に、前記第２通信部の動作モードを前記第１動作モードから前記第２動作モードへ変更する動作モード制御部と、前記動作モード制御部による前記第２動作モードへの変更に応じて、前記サーバから前記提供情報を取得する提供情報取得部と、前記第２動作モードで動作する前記第２通信部を介して前記提供情報取得部が取得した前記提供情報を前記利用者端末へ送信する第２送信部と、を備えるアクセスポイントである。
【００１０】
本発明の一態様は、複数の利用者端末に無線通信サービスを提供するアクセスポイントと、前記アクセスポイントとネットワークを介して通信を行う情報提供サーバとを備える情報提供システムであって、前記情報提供サーバは、前記アクセスポイントと前記ネットワークを介して通信を行う第１通信部と、前記アクセスポイントが設置されている位置に関する情報である位置情報を取得する取得部と、通信ができなくなった前記アクセスポイントの前記位置情報に基づいて、異常事態の発生した地域である第１地域を特定する地域特定部と、前記地域特定部が特定した前記第１地域の周辺の第２地域に設置されたアクセスポイントである周辺アクセスポイントを前記位置情報に基づいて特定するアクセスポイント特定部と、前記第１地域及び前記第２地域において利用者が前記異常事態に関し共有すべき情報である共有情報を取得する共有情報取得部と、前記共有情報取得部で取得した前記共有情報に基づいて前記アクセスポイントが前記利用者端末へ提供する提供情報を生成する提供情報生成部と、前記第１通信部を介して前記アクセスポイント特定部が特定した前記周辺アクセスポイントへ前記提供情報生成部が生成した前記提供情報を送信する第１送信部と、を備え、前記アクセスポイントは、前記利用者端末と無線通信を行う第２通信部と、前記ネットワークを介して前記情報提供サーバと通信を行う第３通信部と、前記第３通信部を介して前記情報提供サーバから前記提供情報を受信する受信部と、前記第２通信部を介して前記受信部が受信した前記提供情報を前記利用者端末へ送信する第２送信部と、を備える情報提供システムである。
【００１１】
本発明の一態様は、複数の利用者端末に無線通信サービスを提供するアクセスポイントとネットワークを介して通信を行う情報提供サーバを用いた情報提供方法であって、前記アクセスポイントが設置されている位置に関する情報である位置情報を取得する取得ステップと、通信ができなくなった前記アクセスポイントの前記位置情報に基づいて、異常事態の発生した地域である第１地域を特定する地域特定ステップと、前記地域特定ステップにおいて特定した前記第１地域の周辺の第２地域に設置されたアクセスポイントである周辺アクセスポイントを前記位置情報に基づいて特定するアクセスポイント特定ステップと、前記第１地域及び前記第２地域において利用者が前記異常事態に関し共有すべき情報である共有情報を取得する共有情報取得ステップと、前記共有情報取得ステップにおいて取得した前記共有情報に基づいて前記アクセスポイントが前記利用者端末へ提供する提供情報を生成する提供情報生成ステップと、前記アクセスポイント特定ステップにおいて特定した前記周辺アクセスポイントへ前記提供情報生成ステップにおいて生成した前記提供情報を送信する送信ステップと、を有する情報提供方法である。
【００１２】
本発明の一態様は、上記の情報提供方法であって、前記アクセスポイント特定ステップにおいて特定した前記周辺アクセスポイントへ、利用者の認証なしで前記利用者端末からのアクセスを受け付ける動作モードへの変更を指示する動作モード指示ステップを更に有する。
【００１３】
本発明の一態様は、上記の情報提供方法であって、前記動作モード指示ステップの指示に応じて動作モードを変更した前記周辺アクセスポイントから前記提供情報の要求を受信する受信ステップと、前記受信ステップにおいて受信した前記提供情報の要求に応じて前記周辺アクセスポイントへ前記提供情報を送信する送信ステップと、を更に有する。
【００１４】
本発明の一態様は、ネットワークを介して利用者が異常事態に関し共有すべき情報を含む利用者端末へ提供される提供情報を生成するサーバと通信可能であり、前記利用者端末と利用者の認証を行う通信方式で無線通信を行う第１動作モード又は前記利用者端末と利用者の認証なしの通信方式で無線通信を行う第２動作モードにより動作するアクセスポイントを用いた情報共有方法であって、前記サーバから前記第１動作モードから前記第２動作モードへの変更の指示を受信した場合に、前記第１動作モードから前記第２動作モードへ変更する動作モード制御ステップと、前記動作モード制御ステップによる前記第２動作モードへの変更に応じて、前記サーバから前記提供情報を取得する提供情報取得ステップと、前記第２動作モードで動作する前記第２通信部を介して前記提供情報取得ステップにおいて取得した前記提供情報を前記利用者端末へ送信する送信ステップと、を有する情報共有方法である。
【００１５】
本発明の一態様は、複数の利用者端末に無線通信サービスを提供するアクセスポイントとネットワークを介して通信を行う情報提供サーバで実行される情報提供プログラムであって、前記アクセスポイントが設置されている位置に関する情報である位置情報を取得する取得ステップと、通信ができなくなった前記アクセスポイントの前記位置情報に基づいて、異常事態の発生した地域である第１地域を特定する地域特定ステップと、前記地域特定ステップにおいて特定した前記第１地域の周辺の第２地域に設置されたアクセスポイントである周辺アクセスポイントを前記位置情報に基づいて特定するアクセスポイント特定ステップと、前記第１地域及び前記第２地域において利用者が前記異常事態に関し共有すべき情報である共有情報を取得する共有情報取得ステップと、前記共有情報取得ステップにおいて取得した前記共有情報に基づいて前記アクセスポイントが前記利用者端末へ提供する提供情報を生成する提供情報生成ステップと、前記アクセスポイント特定ステップにおいて特定した前記周辺アクセスポイントへ前記提供情報生成ステップにおいて生成した前記提供情報を送信する送信ステップと、をコンピュータに実行させるための情報提供プログラムである。
【００１６】
本発明の一態様は、上記の情報提供プログラムであって、前記アクセスポイント特定ステップにおいて特定した前記周辺アクセスポイントへ、利用者の認証なしで前記利用者端末からのアクセスを受け付ける動作モードへの変更を指示する動作モード指示ステップを更に有する。
【００１７】
本発明の一態様は、上記の情報提供プログラムであって、前記動作モード指示ステップの指示に応じて動作モードを変更した前記周辺アクセスポイントから前記提供情報の要求を受信する受信ステップと、前記受信ステップにおいて受信した前記提供情報の要求に応じて前記周辺アクセスポイントへ前記提供情報を送信する送信ステップと、を更に有する。
【００１８】
本発明の一態様は、ネットワークを介して利用者が異常事態に関し共有すべき情報を含む利用者端末へ提供される提供情報を生成するサーバと通信可能であり、前記利用者端末と利用者の認証を行う通信方式で無線通信を行う第１動作モード又は前記利用者端末と利用者の認証なしの通信方式で無線通信を行う第２動作モードにより動作するアクセスポイントで実行される情報共有プログラムであって、前記サーバから前記第１動作モードから前記第２動作モードへの変更の指示を受信した場合に、前記第１動作モードから前記第２動作モードへ変更する動作モード制御ステップと、前記動作モード制御ステップによる前記第２動作モードへの変更に応じて、前記サーバから前記提供情報を取得する提供情報取得ステップと、前記第２動作モードで動作する前記第２通信部を介して前記提供情報取得ステップにおいて取得した前記提供情報を前記利用者端末へ送信する送信ステップと、をコンピュータに実行させるための情報共有プログラムである。
【００１９】
本発明の一態様は、利用者端末と利用者の認証を行う通信方式で無線通信を行う第１動作モード又は前記利用者端末と利用者の認証なしの通信方式で無線通信を行う第２動作モードで動作し、利用者が異常事態に関し共有すべき情報を含む共有情報を保持するアクセスポイントと無線通信を行う通信部と、表示部とを備える利用者端末で実行される情報共有プログラムであって、前記通信部を制御して前記第２動作モードの前記アクセスポイントと無線通信するための接続を行う接続ステップと、前記接続ステップにより接続した前記アクセスポイントから前記共有情報を取得する共有情報取得ステップと、前記共有情報取得ステップにおいて取得した前記共有情報を前記表示部に表示する表示ステップと、をコンピュータに実行させるための情報共有プログラムである。
【発明の効果】
【００２０】
本発明により、異常事態の影響で利用者端末がネットワークに接続できない状態において、利用者が異常事態に関する情報を利用者端末に対して提供することができる。
【図面の簡単な説明】
【００２１】
【図１】本実施形態における災害情報サーバと、アクセスポイントとを備える情報提供システムの構成例を示すブロック図である。
【図２】本実施形態の災害情報サーバ２、アクセスポイント４及び利用者端末６の構成例を示す図である。
【図３】現況情報ＤＢ２１、共有情報ＤＢ２２及びＡＰ情報ＤＢ２７に記録する情報の構成例を示す図である。
【図４】位置情報格納部４３、現況情報格納部４４及び現況情報保存部６５に格納する情報の構成例を示す図である。
【図５】本実施形態の情報提供システム１の動作１を示すシーケンス図である。
【図６】本実施形態の情報提供システム１の動作２を示すシーケンス図である。
【発明を実施するための形態】
【００２２】
以下、図面を参照して、本発明に係る一実施形態における災害情報サーバ（情報提供サーバ）と、アクセスポイントとを備える情報提供システムについて説明する。
＜情報提供システムの概要＞
図１は、本実施形態における災害情報サーバと、アクセスポイントとを備える情報提供システムの構成例を示すブロック図である。図１に示すように、本実施形態の情報提供システム１は、災害情報サーバ２と、アクセスポイント４−１、４−２、４−３、…（以下、アクセスポイント４とする。）とを備える。
【００２３】
災害情報サーバ２は、ネットワーク３を介してアクセスポイント４と通信可能であり、現況情報ＤＢ（データベース）２１を備える。ネットワーク３は、インターネットプロトコル技術を利用して通信を行うインターネット及びＮＧＮ（次世代ネットワーク）等の通信網を含むネットワークである。現況情報ＤＢ２１は、災害が発生した場合に、被災地及びその周辺の交通機関に関する現時点で得られた情報や電気・ガス・水道等の公共公益設備に関する現時点で得られた情報等を、それらの情報に対して「鉄道」、「道路」、「電気」、「避難情報」等のカテゴリーに区分する情報管理区分に関連付けて格納するデータベースである。
【００２４】
アクセスポイント４は、例えばＷｉ−Ｆｉ（登録商標）サービス等の無線ＬＡＮサービスを、利用者端末６−１、６−２、６−３、６−４、６−５、…（以下、利用者端末６とする。）に対して提供する。アクセスポイント４は、無線ネットワーク５−１、５−２、５−３、…（以下、無線ネットワーク５とする。）を介して利用者端末６と無線通信を行う。
【００２５】
利用者端末６は、無線ネットワーク５を介してアクセスポイント４と無線通信可能な無線通信端末であって、例えば、Ｗｉ−Ｆｉ（登録商標）通信機能を備えた携帯電話である。
【００２６】
ＩＳＰ(Internet Service Provider)７は、利用者端末６及びインターネットに接続可能なコンピュータ端末（図１には示していない）に対して、インターネットに接続するサービスを提供する。ＩＳＰ７は、インターネットを利用した種々のサービスを利用者端末６及びコンピュータ端末に対して提供するサービス提供部７１を備える。
【００２７】
災害情報サーバ２は、災害が発生した場合に、被災地及びその周辺に位置するアクセスポイント４に対して、被災地及びその周辺の交通機関に関する情報や電気・ガス・水道等の公共公益設備に関する情報等を提供する機能を有する。災害情報サーバ２は、特定範囲の複数のアクセスポイント４とネットワーク３を介して通信ができないことを検出する（通信不能と判断する）と、災害が発生したと判断する機能を有する。
【００２８】
災害情報サーバ２は、災害が発生する前に予め、アクセスポイント４の位置情報をネットワーク３経由でアクセスポイント４から受信して、アクセスポイント４の位置情報を保持する機能を有する。災害情報サーバ２は、通信不能となった特定範囲の複数のアクセスポイント４の位置情報に基づいて被災地（被災地のエリア）を特定する機能を有する。災害情報サーバ２は、特定した被災地及びその周辺の交通機関に関する情報、電気・ガス・水道等の公共公益設備に関する情報等の被災者間で共有したい情報（以下、共有情報という。）を、ネットワーク３経由で収集する機能を有する。災害情報サーバ２は、特定した被災地の周辺に位置するネットワーク３を介して通信可能な複数のアクセスポイント４（以下、周辺アクセスポイント４という）を、位置情報に基づいて特定する機能を有する。
【００２９】
災害情報サーバ２は、特定した周辺アクセスポイント４に対して、被災地周辺モードへ移行するよう指示する機能を有する。災害情報サーバ２は、被災地周辺モードに移行した周辺アクセスポイント４から現況情報の要求を受信する機能を有する。災害情報サーバ２は、収集した共有情報に基づいて、「鉄道」、「道路」、「電気」、「避難情報」等のカテゴリーを示す情報管理区分に対応する現況情報を生成する機能を有する。災害情報サーバ２は、周辺アクセスポイント４から受信した現況情報の要求に応じて現況情報を生成し、生成した現況情報を周辺アクセスポイント４に送信する。
【００３０】
ここで現況情報及び現況情報の元となる共有情報とは、災害等の異常事態の起きた地域及びその周辺において、利用者端末６の利用者が異常事態に対応するために共有した方がよい情報である。現況情報及び共有情報は、好ましくは、異常事態の推移や人的支援の状況等に応じて変化する可能性のある情報であり、現況情報が生成された時刻に関する情報又は共有情報が登録された時刻に関する情報が関連付けられている。また、現況情報及び共有情報は、時間と共に変化することのない情報である例えば避難場所や病院等の位置を示す地図の情報等を含んでもよい。
【００３１】
利用者が異常事態に対応するために必要な情報とは、利用者が移動するための交通機関に関する情報、利用者が食糧の確保、通信、避難等を行う際に役立つ情報及び利用者が治療を受けるための病院等に関する情報等である。本実施形態においては、災害情報サーバ２は、共有情報に基づいて、情報管理区分に対応する情報を１つの画像データにまとめたものを現況情報として生成する。
【００３２】
アクセスポイント４は、利用者端末６に対して無線ＬＡＮサービスを提供するために、例えば利用者の自宅、店舗、公用施設等に設置されている。アクセスポイント４は、災害情報サーバ２に対して、自身の緯度経度に関する情報を含む位置情報を送信する機能と、災害情報サーバ２において生成された現況情報を、災害情報サーバ２から受信して保持する機能とを有する。
【００３３】
アクセスポイント４は、災害時にどの利用者の利用者端末６からでもアクセスを受け付けるモードである被災地周辺モード又は災害モードに移行する機能を有する。アクセスポイント４は、被災地周辺モードに移行した場合は、災害情報サーバ２に対して現況情報の要求を送信する機能を有する。アクセスポイント４は、要求した現況情報を災害情報サーバ２から受信して保持する機能を有する。アクセスポイント４は、災害モードに移行した場合に、アクセスしてきた利用者端末６が保持している現況情報を取得する機能を有する。
【００３４】
無線ネットワーク５は、アクセスポイント４が提供する無線ＬＡＮサービスにより実現されるネットワークである。利用者端末６は、被災地周辺モードに移行した周辺アクセスポイント４から現況情報を取得して保存し、取得した現況情報を表示部に表示する機能を有する。利用者端末６は、災害モードに移行したアクセスポイント４へ現況情報を送信する機能を有する。利用者端末６は、被災地周辺モードに移行した周辺アクセスポイント４又は災害モードに移行したアクセスポイント４と無線通信を行い、現況情報を処理する災害用アプリケーションを実装している。
【００３５】
図１に示すアクセスポイント４、無線ネットワーク５、利用者端末６の各々の個数や接続状態は一例を示すものである。図１に示す通りアクセスポイント４−１は、無線ネットワーク５−１を介して利用者端末６−１、６−２と無線通信を行う。アクセスポイント４−２は、無線ネットワーク５−２を介して利用者端末６−３、６−４と無線通信を行う。アクセスポイント４−３は、無線ネットワーク５−３を介して利用者端末６−５と無線通信を行う。
【００３６】
次に、本実施形態の情報提供システム１が備える災害情報サーバ２及びアクセスポイント４の構成例と、利用者端末６の構成例とについて説明する。
図２は、本実施形態の災害情報サーバ２、アクセスポイント４及び利用者端末６の構成例を示す図である。
【００３７】
＜＜災害情報サーバ２の構成＞＞
図２に示すように、災害情報サーバ２は、現況情報ＤＢ２１と、共有情報ＤＢ２２と、現況情報処理部２３と、情報入力部２４と、通信部２５と、情報収集部２６と、ＡＰ情報ＤＢ２７と、災害の発生の判断、被災地の特定及び周辺アクセスポイント４の特定等を行うＡＰ情報処理部２８とを備える。現況情報ＤＢ２１は、上述したとおり、被災地及びその周辺の現況情報を情報管理区分に関連付けて格納するデータベースである。共有情報ＤＢ２２は、情報入力部２４及び情報収集部２６から登録される共有情報を格納するデータベースである。
【００３８】
現況情報処理部２３は、共有情報ＤＢ２２に記録されている共有情報に基づいて、情報管理区分に対応する現況情報を生成する。現況情報処理部２３は、生成した現況情報を現況情報ＤＢ２１に記録させる。現況情報処理部２３は、生成した現況情報を通信部２５へ出力する。これにより、通信部２５は、現況情報を要求したアクセスポイント４に現況情報処理部２３が生成した現況情報を送信する。
【００３９】
なお、本実施形態の現況情報処理部２３は、画像データの現況情報を生成する構成であるが、この限りではない。現況情報処理部２３は、画像データと合わせて文字データを含む現況情報を生成する構成であってもよく、文字データのみを含む現況情報を生成する構成であってもよい。
【００４０】
情報入力部２４は、共有情報ＤＢ２２に登録する共有情報の一部を入力する。情報入力部２４は、例えば、図２に示していないが災害情報サーバ２の管理者が操作するキーボード等の入力装置である。通信部２５は、ネットワーク３を介して、アクセスポイント４及びネットワーク３上のＩＳＰ７及びサーバ等（図２には示していない）と通信を行う。
【００４１】
また、情報収集部２６は、通信部２５を介してネットワーク３上からＡＰ情報処理部２８が特定した被災地及びその周辺の地域に関する共有情報を収集して、共有情報ＤＢ２２に登録する。情報収集部２６は、例えば、ＡＰ情報処理部２８が特定した被災地及びその周辺の地域における交通機関に関する情報、電気・ガス・水道等の公共公益設備に関する情報等を収集して、共有情報ＤＢ２２に登録する。また、情報収集部２６は、一度共有情報ＤＢ２２に記録した共有情報について、定期的または任意のタイミングで通信部２５を介してネットワーク３上から再度収集して、共有情報ＤＢ２２に登録されている共有情報を更新する機能も有する。現況情報処理部２３は、共有情報ＤＢ２２に登録されている共有情報が更新されたことに応じて、更新された共有情報に基づいて現況情報を生成する。
【００４２】
本実施形態の災害情報サーバ２は、情報入力部２４により入力される共有情報と、情報収集部２６が取得する共有情報とを共有情報ＤＢ２２に登録する構成であったが、この限りではない。災害情報サーバ２は、例えば、情報入力部２４により入力される共有情報のみを共有情報ＤＢ２２に記録する構成であってもよく、情報収集部２６が取得する共有情報のみを共有情報ＤＢ２２に記録する構成あってもよい。
【００４３】
ＡＰ情報ＤＢ２７は、アクセスポイント４に関する位置情報に各アクセスポイント４を識別するＡＰ−ＩＤを関連付けて記録するデータベースである。ＡＰ情報処理部２８は、アクセスポイント４の位置情報をネットワーク３経由でアクセスポイント４から受信してＡＰ情報ＤＢ２７に記録する処理を行う。ＡＰ情報処理部２８は、各アクセスポイント４を特定する識別子であるＡＰ−ＩＤを生成して、ＡＰ−ＩＤに関連付けて位置情報をＡＰ情報ＤＢ２７に記録する。ＡＰ情報処理部２８は、生成したＡＰ−ＩＤを対応するアクセスポイント４に通信部２５を介して送信する。
【００４４】
ＡＰ情報処理部２８は、ＡＰ情報ＤＢ２７から参照する位置情報に基づいて、特定範囲の複数のアクセスポイント４とネットワーク３を介して通信ができないことを検出する（通信不能と判断する）と、災害が発生したと判断する。ＡＰ情報処理部２８は、災害が発生する前に予め、アクセスポイント４の位置情報をネットワーク３経由でアクセスポイント４から受信して、ＡＰ情報ＤＢ２７にアクセスポイント４の位置情報を記録する。
【００４５】
ＡＰ情報処理部２８は、通信不能となった特定範囲の複数のアクセスポイント４の位置情報をＡＰ情報ＤＢ２７より参照して被災地を特定する。ＡＰ情報処理部２８は、特定した被災地の周辺に位置する周辺アクセスポイント４を、ＡＰ情報ＤＢ２７より参照した位置情報に基づいて特定する。ＡＰ情報処理部２８は、特定した周辺アクセスポイント４に対して、被災地周辺モードへ移行するよう指示する。
【００４６】
ここで、現況情報ＤＢ２１及び共有情報ＤＢ２２に記録する情報について、具体例を示し説明する。図３は、現況情報ＤＢ２１、共有情報ＤＢ２２及びＡＰ情報ＤＢ２７に記録する情報の構成例を示す図である。
【００４７】
図３（Ａ）に示すように、現況情報ＤＢ２１は、情報管理区分２１ａに関連付けて生成日時２１ｂと、現況情報２１ｃとを格納するテーブルを備える。図３（Ａ）の例では、情報管理区分２１ａ＝「鉄道運行情報」に関連付けて、生成日時２１ｂ＝「２０１ｘ年ｙ月ｚ日１２：０１：０１」と、現況情報２１ｃ＝「Ｒｅａｌｔｉｎｆｏ.ｇｉｆ」とを記録する。「鉄道運行情報」は、現況情報２１ｃのカテゴリー及び内容を特定する情報である。「２０１ｘ年ｙ月ｚ日１２：０１：０１」は、現況情報２１ｃを生成した時刻に関する情報である。「Ｒｅａｌｔｉｎｆｏ.ｇｉｆ」は、ＧＩＦ形式の画像データのファイル名であり、この画像データには、被災地およびその周辺にある鉄道の運行情報が含まれている。
【００４８】
図３（Ｂ）に示すように、共有情報ＤＢ２２は、登録時間２２ａと、管理区分２２ｂと、情報区分２２ｃと、情報２２ｄと、…とを含む共有情報を格納するテーブルを備える。図３（Ｂ）の例では、登録時間２２ａ＝「２０１ａ年ｂ月ｃ日１２：０１：０１」と、管理区分２２ｂ＝「お知らせ１」と、情報区分２２ｃ＝「鉄道」と、情報２２ｄ＝「○○線−運休中」とが一つの共有情報として記録されている。「２０１ａ年ｂ月ｃ日１２：０１：０１」は、共有情報を登録した時刻に関する情報である。「お知らせ１」は、共有情報を識別するための情報である。「鉄道」は、共有情報のカテゴリー及び内容を特定する情報である。「○○線−運休中」は、情報入力部２４又は情報収集部２６から入力される被災地及びその周辺の鉄道に関する運行情報である。
【００４９】
この情報区分２２ｃとしては「鉄道」以外に、「道路」「水道」「公共１」「公共２」等を用いてよい。情報区分２２ｃ＝「道路」に対応して情報２２ｄ＝「××線−土砂崩れ」を格納してもよい。情報区分２２ｃ＝「水道」に対応して情報２２ｄ＝「△△−復旧」を格納してもよい。情報区分２２ｃ＝「公共１」に対応して情報２２ｄ＝「□□支援物資到着」を格納してもよい。情報区分２２ｃ＝「公共２」に対応して情報２２ｄ＝「◇◇病院受付開始」を格納してもよい。
【００５０】
図３（Ｃ）に示すように、ＡＰ情報ＤＢ２７は、アクセスポイント４を識別するＡＰ−ＩＤ２７ａに関連付けて、アクセスポイント４の位置情報である緯度２７ｂと、経度２７ｃとを格納するテーブルを備える。図３（Ｃ）の例では、ＡＰ−ＩＤ２７ａ＝「１２３４５」に関連付けて、緯度２７ｂ＝「３６．０００００」及び経度２７ｃ＝「１３５．０００００」が格納されている。
【００５１】
＜＜アクセスポイント４の構成＞＞
アクセスポイント４は、第１無線通信部４１と、第２無線通信部４２と、位置情報格納部４３と、現況情報格納部４４と、現況情報処理部４５と、有線通信部４６とを備える。アクセスポイント４は、平時に通常のアクセスポイントとして動作する通常モードと、災害時に利用者を問わずにどの利用者端末６からのアクセスでも受け付け、かつ、災害情報サーバ２から現況情報を取得して利用者端末６へ提供するモードである被災地周辺モードと、災害時に利用者を問わずにどの利用者端末６からのアクセスでも受け付け、かつ、利用者端末６と現況情報の送受信を行うモードである災害モードとを有する。
【００５２】
第１無線通信部４１は、通常モードにおいて、無線ネットワーク５を介して利用者端末６と無線通信を行う。第１無線通信部４１は、利用者端末６の利用者の認証を行った上で、無線通信するデータを所定の暗号化方式で暗号化している。
【００５３】
第２無線通信部４２は、被災地周辺モード又は災害モードにおいて、例えば無線ＬＡＮにおけるアクセスポイント４の識別名であるＳＳＩＤ（Service Set Identifier）として災害用ＳＳＩＤを用いて、利用者の認証を不要とし（例えばオープン認証）、通信の暗号化も行わずに利用者端末６と無線通信を行う。これにより、利用者の認証が不要のため通常モード時のアクセスポイント４と無線通信ができなかった利用者端末６であっても、被災地周辺モード又は災害モード時のアクセスポイント４と無線通信を行うことができる。
【００５４】
位置情報格納部４３は、ＡＰ−ＩＤに関連付けてアクセスポイント４が設置されている位置の緯度及び経度に関する情報を含む位置情報を格納する。この位置情報は、アクセスポイント４を設置した際に、例えばアクセスポイント４の管理者によって登録される。また、ＡＰ−ＩＤは、災害情報サーバ２へ位置情報を送信したことに応じて、災害情報サーバ２から受信する。現況情報格納部４４は、災害情報サーバ２から受信した現況情報及び現況情報の生成日時を情報管理区分に関連付けて格納する。
【００５５】
現況情報処理部４５は、通常モード時に位置情報格納部４３から読み出した位置情報を、有線通信部４６及びネットワーク３を介して災害情報サーバ２へ送信する。これにより、有線通信部４６は、災害情報サーバ２からＡＰ−ＩＤを受信する。現況情報処理部４５は、有線通信部４６が受信したＡＰ−ＩＤを受け取り、現況情報格納部４４に格納させる。有線通信部４６は、ネットワーク３を介して災害情報サーバ２及びＩＳＰ７と通信を行う。現況情報処理部４５は、第２無線通信部４２、位置情報格納部４３、現況情報格納部４４及び有線通信部４６と接続されている。
【００５６】
現況情報処理部４５は、被災地周辺モードに移行した場合に災害情報サーバ２に対して現況情報の要求を送信する。現況情報処理部４５は、要求した現況情報を災害情報サーバ２から受信して現況情報格納部４４に格納する。現況情報処理部４５は、被災地周辺モードに移行した場合に現況情報格納部４４から読み出した現況情報を、第２無線通信部４２を介して利用者端末６へ送信する。現況情報処理部４５は、災害用アプリケーションを起動後の利用者端末６に対して現況情報を配信する。
【００５７】
現況情報処理部４５は、災害モードに移行した場合に、アクセスしてきた利用者端末６が保持している現況情報を取得する。現況情報処理部４５は、利用者端末６から取得した現況情報と、現況情報格納部４４に格納している現況情報との生成日時を比較する。現況情報処理部４５は、比較により利用者端末６が保持している現況情報に新たな現況情報（現況情報格納部４４に格納されていない現況情報）が含まれると判断した場合は、その新たな現況情報のみを現況情報格納部４４に追加する。現況情報処理部４５は、生成日時の比較により現況情報格納部４４に格納されている現況情報に新たな現況情報（利用者端末６が保持していない現況情報）が含まれると判断した場合は、その新たな現況情報のみを利用者端末６へ送信する。すなわち、現況情報処理部４５は、生成日時の比較により利用者端末６が保持している現況情報と、現況情報格納部４４に格納されている現況情報との差分となる現況情報を、当該現況情報を有していない現況情報格納部４４又は利用者端末６へ格納させている。利用者端末６は、災害用アプリケーションを起動後に、災害モードに移行したアクセスポイント４と無線通信可能となる。
【００５８】
ここで、位置情報格納部４３及び現況情報格納部４４に格納する情報について、具体例を示し説明する。図４は、位置情報格納部４３、現況情報格納部４４及び現況情報保存部６５に格納する情報の構成例を示す図である。
【００５９】
図４（Ａ）に示すように、位置情報格納部４３は、ＡＰ−ＩＤ２７ａに関連付けて、アクセスポイント４の位置情報である緯度２７ｂ及び経度２７ｃと、アクセスポイント４が設置されている場所の住所４３ａとが格納されたテーブルを有する。図４（Ａ）の例では、ＡＰ−ＩＤ２７ａ、緯度２７ｂ及び経度２７ｃは、図３（Ｃ）に示したＡＰ−ＩＤ２７ａ、緯度２７ｂ及び経度２７ｃと同じ内容が格納され、かつ、住所４３ａ＝大阪市北区○○△が格納されている。
【００６０】
図４（Ｂ）に示すように、現況情報格納部４４は、情報管理区分２１ａに関連付けて生成日時２１ｂと、現況情報２１ｃとを格納するテーブルを備える。図４（Ｂ）の例では、情報管理区分２１ａ、生成日時２１ｂ及び現況情報２１ｃは、図３（Ａ）に示した情報管理区分２１ａ、生成日時２１ｂ及び現況情報２１ｃと同じ内容が格納されている。
【００６１】
＜＜利用者端末６の構成＞＞
利用者端末６は、通常時用通信部６１と、災害時用通信部６２と、情報処理部６３と、表示部６４と、現況情報保存部６５とを備える。利用者端末６は、通常モードのアクセスポイント４と無線通信を行う通常モードと、災害時に災害用アプリケーションを起動して被災地周辺モード又は災害モードのアクセスポイント４と通信を行う災害モードとを有する。利用者端末６は、災害用アプリケーションを起動することで災害モードに移行すると、被災地周辺モード又は災害モードのアクセスポイント４と無線通信を行うことができる。また、利用者端末６は、利用者が災害用アプリケーションの画面を操作することで、アクセスポイント４から現況情報を取得したり、取得した現況情報を表示部６４に表示したりすることができる。
【００６２】
通常時用通信部６１は、通常モードにおいて、無線ネットワーク５を介してアクセスポイント４と無線通信を行う。通常時用通信部６１は、利用者の認証要求をアクセスポイント４へ送信する機能や、アクセスポイント４と無線通信するデータを所定の暗号化方式により暗号化する機能を有する。
【００６３】
利用者端末６の災害時用通信部６２、情報処理部６３及び現況情報保存部６５は、利用者が災害用アプリケーションを起動することで機能する。災害時用通信部６２は、災害モードにおいて、災害用ＳＳＩＤに基づいて災害モードのアクセスポイント４と通信を行う。災害時用通信部６２は、災害モードのアクセスポイント４と通信する際に通信データの暗号化・復号化を行わない。情報処理部６３は、災害時用通信部６２を介して現況情報の要求をアクセスポイント４へ送信する機能を有する。この要求に応じて、災害時用通信部６２は、アクセスポイント４から現況情報を受信する。
【００６４】
情報処理部６３は、災害時用通信部６２が受信した現況情報を、表示部６４に表示したり、現況情報保存部６５に保存したりする。情報処理部６３は、災害用アプリケーションの機能に応じた処理を行う。情報処理部６３は、被災地周辺モードのアクセスポイント４から現況情報を取得する機能、災害モードのアクセスポイント４へ現況情報保存部６５に保存している現況情報を送信する機能を有する。表示部６４は、例えば液晶表示デバイスで構成されており、文字や画像を表示する。現況情報保存部６５は、情報処理部６３より受け取った現況情報を保存する。現況情報保存部６５に保存される現況情報の構成例は、図４（Ｂ）に示した現況情報の構成例と同じである。
【００６５】
＜＜情報提供システム１の動作１＞＞
情報提供システム１において、アクセスポイント４−２が設置された場所において災害が発生した場合の動作について説明する。また、説明の都合上、アクセスポイント４−１は、被災地の周辺に設置されているものとする。情報提供システム１において、被災地の周辺に位置するアクセスポイント４−１が被災地周辺モードに移行する場合の動作について説明する。
【００６６】
図５は、本実施形態の情報提供システム１の動作１を示すシーケンス図である。図５においては、被災地の周辺に設置されているアクセスポイント４−１と、アクセスポイント４−１と無線通信可能な位置にいる利用者端末６−１の動作を示している。
アクセスポイント４−１において、アクセスポイント４−１の管理者は、アクセスポイント４−１が設置された位置に関する情報である位置情報を登録する（ステップＳ１０１）。これにより、位置情報格納部４３に、アクセスポイント４−１の設置位置に応じた位置情報が登録される。
【００６７】
アクセスポイント４−１は、通常モード時に位置情報格納部４３から読み出した位置情報を災害情報サーバ２へ送信する（ステップＳ１０２）。これにより、災害情報サーバ２の通信部２５は、アクセスポイント４−１から位置情報を受信する。
【００６８】
ＡＰ情報処理部２８は、通信部２５が受信した位置情報をＡＰ情報ＤＢ２７に記録する処理を行う。（ステップＳ１０３）。ＡＰ情報処理部２８は、各アクセスポイント４を特定する識別子であるＡＰ−ＩＤを生成して、ＡＰ−ＩＤに関連付けて位置情報をＡＰ情報ＤＢ２７に記録する。ＡＰ情報処理部２８は、生成したＡＰ−ＩＤを対応するアクセスポイント４に通信部２５を介して送信する（ステップＳ１０４）。図５には示していないが、ステップＳ１０１〜Ｓ１０４の処理は、他のアクセスポイント４−２、４−３、…でも行われる。
【００６９】
ここで、アクセスポイント４−２の設置された地域で災害が発生したとする。
ＡＰ情報処理部２８は、ＡＰ情報ＤＢ２７から参照する位置情報に基づいて、特定範囲のアクセスポイント４−２を含む複数のアクセスポイント４とネットワーク３を介して通信ができないことを検出した場合に災害が発生したと判断する。ＡＰ情報処理部２８は、通信不能となった特定範囲の複数のアクセスポイント４の位置情報をＡＰ情報ＤＢ２７より参照して被災地を特定する（ステップＳ１０５）。情報収集部２６は、通信部２５を介してネットワーク３上からＡＰ情報処理部２８が特定した被災地及びその周辺の地域に関する共有情報を収集して、共有情報ＤＢ２２に登録する（ステップＳ１０５）。
【００７０】
ＡＰ情報処理部２８は、特定した被災地の周辺に位置するアクセスポイント４−１を含む周辺アクセスポイント４を、ＡＰ情報ＤＢ２７より参照した位置情報に基づいて特定する。ＡＰ情報処理部２８は、特定したアクセスポイント４−１に対して、被災地周辺モードへ移行するよう指示する（ステップＳ１０６）。これにより、アクセスポイント４−１は、被災地周辺モードに移行する（ステップＳ１０７）。アクセスポイント４−１の現況情報処理部４５は、被災地周辺モードに移行した場合に災害情報サーバ２に対して現況情報の要求を送信する（ステップＳ１０８）。
【００７１】
災害情報サーバ２の現況情報処理部２３は、アクセスポイント４−１からの現況情報の要求に応じて、共有情報ＤＢ２２に記録されている共有情報に基づいて、情報管理区分に対応する現況情報を生成する（ステップＳ１０９）。現況情報処理部２３は、通信部２５を介して、現況情報を要求したアクセスポイント４−１に生成した現況情報を送信する（ステップＳ１１０）。アクセスポイント４−１の現況情報処理部４５は、要求した現況情報を災害情報サーバ２から受信して現況情報格納部４４に保存する（ステップＳ１１１）。なお、図５には示していないが、ステップＳ１０６〜Ｓ１１１の処理は、アクセスポイント４−１を含む周辺アクセスポイント４においても行われる。
【００７２】
また、アクセスポイント４−１におけるステップＳ１０７、Ｓ１１１と並行して、利用者端末６−１においてもステップＳ１１２の動作が行われる。利用者の現在地の近くで災害が発生した場合に、利用者は利用者端末６−１において、災害用アプリケーションを起動する（ステップＳ１１２）。これにより、利用者端末６−１は災害モードとなり、災害時用通信部６２が災害用ＳＳＩＤを用いてアクセスポイント４−１へのアクセスを開始する（ステップＳ１１３）。アクセスポイント４−１は、利用者端末６−１の災害用ＳＳＩＤを用いた帰属を許可する（ステップＳ１１４）。
【００７３】
利用者端末６−１の情報処理部６３は、災害時用通信部６２を介して現況情報の要求をアクセスポイント４−１へ送信する（ステップＳ１１５）。アクセスポイント４−１の現況情報処理部４５は、第２無線通信部４２を介して現況情報格納部４４から読み出した現況情報を利用者端末６−１へ送信する（ステップＳ１１６）。利用者端末６−１の情報処理部６３は、災害時用通信部６２が受信した現況情報を、現況情報保存部６５に保存し（ステップＳ１１７）、表示部６４に表示する（ステップＳ１１８）。
【００７４】
以上の動作１により、利用者は、利用者端末６−１の表示部６４に表示された現況情報を確認して、適切な避難行動等をとることができる。また、被災地周辺モードのアクセスポイント４−１は、利用者の認証を行わないので、契約している移動体通信事業者が違う等の理由で通常モードのアクセスポイント４−１と無線通信できない利用者端末（以下、他社契約端末という。）とも無線通信可能となる。被災地周辺モードのアクセスポイント４−１は、このような他者契約端末に対しても、他社契約端末において災害用アプリケーションが起動していれば、現況情報を提供することができる。よって、情報提供システム１は、被災地周辺に設置された他者契約端末に無線通信サービスを提供するアクセスポイントが、災害の影響でネットワーク３に接続できない場合には、ネットワーク３に接続できない他社契約端末に対して現況情報を提供することができる。
【００７５】
＜＜情報提供システム１の動作２＞＞
情報提供システム１において、アクセスポイント４−２が設置された場所において災害が発生した場合の動作について説明する。情報提供システム１において、被災地に設置されたアクセスポイント４−２が災害モードに移行する場合の動作について説明する。また、説明の都合上、利用者端末６−３は、被災地周辺において被災地周辺モードのアクセスポイント４から現況情報を取得して保持し、その後、アクセスポイント４−２と無線通信可能な位置に移動してきたとする。
【００７６】
図６は、本実施形態の情報提供システム１の動作２を示すシーケンス図である。図６においては、被災地に設置されているアクセスポイント４−２と、アクセスポイント４−２と無線通信可能な位置にいる利用者端末６−３の動作を示している。
アクセスポイント４−２は、災害情報サーバ２と通信ができなくなったこと及び災害用アプリケーションを起動した利用者端末６からアクセスがあったことの２つの条件を満たす場合に、災害モードへ移行する（ステップＳ２００）。
【００７７】
災害の影響でアクセスポイント４−２とネットワーク３との接続が切れてしまうと、利用者端末６−３は、ネットワーク３に接続できなくなる。すなわち、利用者端末６−３は、インターネット経由でＩＳＰ７が提供する様々なサービスを利用できなくなる。このような場合に、利用者は利用者端末６−３において、災害用アプリケーションを起動する（ステップＳ２０１）。これにより、利用者端末６−３は災害モードとなり、災害時用通信部６２が災害用ＳＳＩＤを用いてアクセスポイント４−２へのアクセスを開始する（ステップＳ２０２）。アクセスポイント４−２は、利用者端末６−３の災害用ＳＳＩＤを用いた帰属を許可する（ステップＳ２０３）。なお、上述したように、利用者端末６−３は、被災地周辺において被災地周辺モードのアクセスポイント４と無線通信を行っているので、災害用アプリケーションを起動した状態のままアクセスポイント４−２と無線通信可能な位置に移動することで、ステップＳ２０２へ移行するとしてもよい。
【００７８】
利用者端末６−３の情報処理部６３は、アクセスポイント４−２へ現況情報保存部６５に保存している現況情報を送信することで、現況情報保存部６５に保存している現況情報の確認を行う（ステップＳ２０４）。アクセスポイント４−２の現況情報処理部４５は、受信した現況情報と、現況情報格納部４４に格納している現況情報との生成日時を比較する。現況情報処理部４５は、生成日時の比較により利用者端末６−３が保持している現況情報に新たな現況情報が含まれると判断した場合（ステップＳ２０５のＹＥＳ）には、その新たな現況情報のみを現況情報格納部４４に追加することで現況情報格納部４４を更新する（ステップＳ２０６）。
【００７９】
生成日時の比較により利用者端末６−３が保持している現況情報に新たな現況情報が含まれていないと判断した場合（ステップＳ２０５のＮＯ）には、現況情報処理部４５は、比較により利用者端末６−３が保持している現況情報に古い現況情報が含まれるかを判断する。ここで、利用者端末６−３が保持している現況情報に古い現況情報が含まれると判断した場合（ステップＳ２０７のＹＥＳ）には、現況情報処理部４５は、現況情報格納部４４から新しい現況情報を読み出し利用者端末６−３へ送信する（ステップＳ２０８）。利用者端末６−３が保持している現況情報に古い現況情報が含まれないと判断した場合（ステップＳ２０７のＮＯ）には、現況情報処理部４５は次の処理へ進む。
【００８０】
利用者端末６−３の情報処理部６３は、災害時用通信部６２が受信した新しい現況情報を、現況情報保存部６５に保存して現況情報保存部６５を更新する（ステップＳ２０９）。情報処理部６３は、災害時用通信部６２が受信した新しい現況情報を表示部６４に表示する（ステップＳ２１０）。
【００８１】
以上の動作２により、被災地に設置された災害モードのアクセスポイント４−２は、例えば、被災地周辺から現況情報を保持した利用者端末６−３より現況情報を取得することができる。また、災害モードのアクセスポイント４−２は、既に、現況情報格納部４４に現況情報を格納している場合は、利用者端末６−３より取得した現況情報と、現況情報格納部４４に格納している現況情報との生成日時を比較して、差分となる最新の現況情報のみを現況情報格納部４４に格納し、差分となる最新の現況情報のみを利用者端末６−３へ送信することができる。これにより、災害モードのアクセスポイント４−２および利用者端末６−３に保持している現況情報に基づいて、保持している現況情報を相互に最新の現況情報へと更新することができる。
【００８２】
＜変形例＞
次に、情報提供システム１の変形例として、災害情報サーバ２が定型情報をアクセスポイント４へ提供する構成をさらに備え、アクセスポイント４が利用者端末６へ定型情報を提供する構成を更に備える変形例について説明する。ここで、定型情報とは、災害時に利用者が安全に移動・避難するための情報であり、例えば、避難所や病院等の地図データ、避難所や病院の名称及び住所の文字データ等である。
【００８３】
災害情報サーバ２は、アクセスポイント４に対してアクセスポイント４の設置場所周辺の避難所や病院等の地図を含む定型情報を提供する機能を更に有する。災害情報サーバ２は、位置情報に基づいて定型情報を生成し、生成した定型情報をアクセスポイント４へ送信する機能を更に有する。
【００８４】
アクセスポイント４は、災害発生前に災害情報サーバ２において生成された定型情報を、災害情報サーバ２から受信して保持する機能と更に有する。アクセスポイント４は、災害時に災害モードに移行した場合に、保持している定型情報をアクセスしてきた利用者端末６に対して提供する機能を更に有する。利用者端末６は、災害モードに移行したアクセスポイント４から定型情報を取得して表示部に表示する機能を更に有する災害用アプリケーションを実装している。
【００８５】
以上に説明したとおり、本実施形態の情報提供システム１によれば、災害の影響により、被災エリアにおけるネットワーク３の機能が停止した場合に、ネットワーク３を利用することなくアクセスポイント４から現況情報を利用者端末６へ提供することができる。これにより、利用者は、利用者端末６を使って被災地における交通に関する情報や、電気、水道等のライフラインに関する情報を得ることができる。また、アクセスポイント４は、災害モード時に利用者端末６に対するアクセス制限を行わないので、より多くの利用者端末６に対して現況情報を提供することができる。また、利用者は、利用者端末６に災害用アプリケーションをインストールして、災害時に起動することで、通常は接続できないアクセスポイント４であっても接続することができる。
【００８６】
上述した実施形態における災害情報サーバ２、アクセスポイント４及び利用者端末６内の各機能をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００８７】
以上、この発明の実施形態について図面を参照して詳述してきたが、具体的な構成はこの実施形態に限られるものではなく、この発明の要旨を逸脱しない範囲の設計等も含まれる。
【符号の説明】
【００８８】
１…情報提供システム，２…災害情報サーバ，３…ネットワーク，４、４−１、４−２、４−３…アクセスポイント，５、５−１、５−２、５−３…無線ネットワーク，６、６−１、６−２、６−３、６−４、６−５…利用者端末，７…ＩＳＰ，２１…現況情報ＤＢ，２２…共有情報ＤＢ，２３…現況情報処理部，２４…情報入力部，２６…情報収集部，２７…ＡＰ情報ＤＢ，２８…ＡＰ情報処理部，４１…第１無線通信部，４２…第２無線通信部，４３…位置情報格納部，４４…現況情報格納部，４５…現況情報処理部，４６…有線通信部，６１…通常時用通信部，６２…災害時用通信部，６３…情報処理部，６４…表示部，６５…現況情報保存部
【図１】
2017049893.tif 000003
【図２】
2017049893.tif 000004
【図３】
2017049893.tif 000005
【図４】
2017049893.tif 000006
【図５】
2017049893.tif 000007
【図６】
2017049893.tif 000008
【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
複数の利用者端末に無線通信サービスを提供する複数のアクセスポイントの位置に関する情報である位置情報を取得する取得部と、
前記複数のアクセスポイントのうち自装置と通信ができなくなったアクセスポイントの位置情報に基づいて、異常事態の発生地域を特定する地域特定部と、
前記地域特定部が特定した前記発生地域の周辺に存在する周辺アクセスポイントを前記位置情報に基づいて特定するアクセスポイント特定部と、
利用者が前記異常事態に関し共有すべき情報である共有情報を取得する共有情報取得部と、
前記共有情報及び前記発生地域に基づいて前記周辺アクセスポイントと通信可能な利用者端末へ提供する提供情報を生成する提供情報生成部と、
前記周辺アクセスポイントへ前記提供情報を送信する送信部と、
を備える情報提供サーバ。
【請求項２】
前記アクセスポイント特定部が特定した前記周辺アクセスポイントへ、利用者の認証なしで前記利用者端末からのアクセスを受け付ける動作モードへの変更を指示する動作モード指示部を更に備える
請求項１に記載の情報提供サーバ。
【請求項３】
前記送信部は、自装置の指示により動作モードを変更した前記周辺アクセスポイントの要求に応じて、前記周辺アクセスポイントへ前記提供情報を送信する
請求項２に記載の情報提供サーバ。
【請求項４】
複数の利用者端末と利用者の認証を行う通信方式で無線通信を行う第１動作モード又は前記利用者端末と利用者の認証なしの通信方式で無線通信を行う第２動作モードのいずれかの動作モードで動作する無線通信部と、
ネットワークを介して利用者が異常事態に関し共有すべき情報を含む前記利用者端末へ提供される提供情報を生成する機能及び前記第１動作モードから前記第２動作モードへの変更を指示する機能を有するサーバの指示に応じて前記無線通信部の動作モードを前記第１動作モードから前記第２動作モードへ変更する動作モード制御部と、
前記動作モード制御部による前記第２動作モードへの変更に応じて、前記サーバから前記提供情報又は前記提供情報の差分情報を取得する提供情報取得部と、
取得した前記提供情報又は前記差分情報を前記利用者端末へ送信する送信部と、
を備えるアクセスポイント。
【請求項５】
複数の利用者端末に無線通信サービスを提供する複数のアクセスポイントと、前記複数のアクセスポイントとネットワークを介して通信を行う情報提供サーバとを備える情報提供システムであって、
前記情報提供サーバは、
前記複数のアクセスポイントの位置に関する情報である位置情報を取得する取得部と、
前記複数のアクセスポイントのうち自装置と通信ができなくなったアクセスポイントの位置情報に基づいて、異常事態の発生地域を特定する地域特定部と、
前記地域特定部が特定した前記発生地域の周辺に存在する周辺アクセスポイントを前記位置情報に基づいて特定するアクセスポイント特定部と、
利用者が前記異常事態に関し共有すべき情報である共有情報を取得する共有情報取得部と、
前記共有情報及び前記発生地域に基づいて前記周辺アクセスポイントと通信可能な利用者端末へ提供する提供情報を生成する提供情報生成部と、
前記周辺アクセスポイントへ前記提供情報を送信する送信部と、
を備え、
前記アクセスポイントは、
前記情報提供サーバから前記提供情報を受信する受信部と、
受信した前記提供情報を前記利用者端末へ送信する送信部と、
を備える情報提供システム。
【請求項６】
複数の利用者端末に無線通信サービスを提供する複数のアクセスポイントとネットワークを介して通信を行う情報提供サーバを用いた情報提供方法であって、
前記複数のアクセスポイントの位置に関する情報である位置情報を取得する取得ステップと、
前記複数のアクセスポイントのうち前記情報提供サーバと通信ができなくなったアクセスポイントの位置情報に基づいて、異常事態の発生地域を特定する地域特定ステップと、
前記地域特定ステップにおいて特定した前記発生地域の周辺に存在する周辺アクセスポイントを前記位置情報に基づいて特定するアクセスポイント特定ステップと、
利用者が前記異常事態に関し共有すべき情報である共有情報を取得する共有情報取得ステップと、
前記共有情報及び前記発生地域に基づいて前記周辺アクセスポイントと通信可能な利用者端末へ提供する提供情報を生成する提供情報生成ステップと、
前記周辺アクセスポイントへ前記提供情報を送信する送信ステップと、
を有する情報提供方法。
【請求項７】
前記アクセスポイント特定ステップにおいて特定した前記周辺アクセスポイントへ、利用者の認証なしで前記利用者端末からのアクセスを受け付ける動作モードへの変更を指示する動作モード指示ステップを更に有する
請求項６に記載の情報提供方法。
【請求項８】
前記送信ステップでは、前記情報提供サーバの指示により動作モードを変更した前記周辺アクセスポイントの要求に応じて前記周辺アクセスポイントへ前記提供情報を送信する、
請求項７に記載の情報提供方法。
【請求項９】
ネットワークを介して利用者が異常事態に関し共有すべき情報を含む利用者端末へ提供される提供情報を生成するサーバと通信可能であり、前記利用者端末と利用者の認証を行う通信方式で無線通信を行う第１動作モード又は前記利用者端末と利用者の認証なしの通信方式で無線通信を行う第２動作モードのいずれかの動作モードで動作するアクセスポイントを用いた情報共有方法であって、
前記サーバの指示に応じて前記アクセスポイントの動作モードを前記第１動作モードから前記第２動作モードへ変更する動作モード制御ステップと、
前記動作モード制御ステップによる前記第２動作モードへの変更に応じて、前記サーバから前記提供情報又は前記提供情報の差分情報を取得する提供情報取得ステップと、
前記提供情報取得ステップにおいて取得した前記提供情報又は前記差分情報を前記利用者端末へ送信する送信ステップと、
を有する情報共有方法。
【請求項１０】
複数の利用者端末に無線通信サービスを提供する複数のアクセスポイントとネットワークを介して通信を行う情報提供サーバで実行される情報提供プログラムであって、
前記複数のアクセスポイントの位置に関する情報である位置情報を取得する取得ステップと、
前記複数のアクセスポイントのうち前記情報提供サーバと通信ができなくなったアクセスポイントの位置情報に基づいて、異常事態の発生地域を特定する地域特定ステップと、
前記地域特定ステップにおいて特定した前記発生地域の周辺に存在する周辺アクセスポイントを前記位置情報に基づいて特定するアクセスポイント特定ステップと、
利用者が前記異常事態に関し共有すべき情報である共有情報を取得する共有情報取得ステップと、
前記共有情報及び前記発生地域に基づいて前記周辺アクセスポイントと通信可能な利用者端末へ提供する提供情報を生成する提供情報生成ステップと、
前記周辺アクセスポイントへ前記提供情報を送信する送信ステップと、
をコンピュータに実行させるための情報提供プログラム。
【請求項１１】
前記アクセスポイント特定ステップにおいて特定した前記周辺アクセスポイントへ、利用者の認証なしで前記利用者端末からのアクセスを受け付ける動作モードへの変更を指示する動作モード指示ステップを更に有する
請求項１０に記載の情報提供プログラム。
【請求項１２】
前記送信ステップでは、前記情報提供サーバの指示により動作モードを変更した前記周辺アクセスポイントの要求に応じて前記周辺アクセスポイントへ前記提供情報を送信する、
請求項１１に記載の情報提供プログラム。
【請求項１３】
ネットワークを介して利用者が異常事態に関し共有すべき情報を含む利用者端末へ提供される提供情報を生成するサーバと通信可能であり、前記利用者端末と利用者の認証を行う通信方式で無線通信を行う第１動作モード又は前記利用者端末と利用者の認証なしの通信方式で無線通信を行う第２動作モードのいずれかの動作モードで動作するアクセスポイントで実行される情報共有プログラムであって、
前記サーバの指示に応じて前記アクセスポイントの動作モードを前記第１動作モードから前記第２動作モードへ変更する動作モード制御ステップと、
前記動作モード制御ステップによる前記第２動作モードへの変更に応じて、前記サーバから前記提供情報又は前記提供情報の差分情報を取得する提供情報取得ステップと、
前記提供情報取得ステップにおいて取得した前記提供情報又は前記差分情報を前記利用者端末へ送信する送信ステップと、
をコンピュータに実行させるための情報共有プログラム。
【請求項１４】
利用者端末と利用者の認証を行う通信方式で無線通信を行う第１動作モード又は前記利用者端末と利用者の認証なしの通信方式で無線通信を行う第２動作モードのいずれかの動作モードで動作し、利用者が異常事態に関し共有すべき情報である共有情報を含む提供情報及び前記提供情報の差分情報を保持するアクセスポイントと無線通信を行う無線通信部と、表示部とを備える利用者端末で実行される情報共有プログラムであって、
前記通信部を制御して前記第２動作モードで動作しているアクセスポイントと無線通信するための接続を行う接続ステップと、
前記接続ステップにより接続したアクセスポイントから前記提供情報又は前記差分情報を取得する共有情報取得ステップと、
前記共有情報取得ステップにおいて取得した前記提供情報又は前記差分情報を前記表示部に表示する表示ステップと、
をコンピュータに実行させるための情報共有プログラム。